(57)【要約】【課題】  利用者が後日再来店しても、携帯端末からブックマークを店舗端末に転送することなく、一度転送したブックマークのサイトに簡便にアクセスできるようにすること。【解決手段】  読み出し手段３２７と、サイトアドレス情報受信手段３２８と、表示手段３２８、３１２と、登録要求送信手段３２８とを備える店舗端末３と、サイトアドレス情報記憶手段１２２を備える会員管理装置１２０とから成り、店舗端末３は、会員用記録媒体から読み出した会員ＩＤに対応付けて前記サイトアドレス情報記憶手段１２２にて記憶されているサイトアドレス情報を会員管理装置１２０から取得して、該取得したサイトアドレス情報のウエブサイトを提供するサーバコンピュータから配信されるコンテンツデータに基づくウエブサイトの画面を表示する。【選択図】  図１６
2005293468.tif 000002
【特許請求の範囲】
【請求項１】
店舗において会員登録した会員に発行され、当該会員を個々に識別可能な会員識別情報が記録された会員用記録媒体を受付け、該受付けた会員用記録媒体に記録されている前記会員識別情報を読み出す読み出し手段と、
会員が所持する携帯端末に記憶されているインターネット網上のサーバコンピュータにより提供されるウエブサイトのサイトアドレス情報を少なくとも受信するためのサイトアドレス情報受信手段と、
前記ウエブサイトを提供するサーバコンピュータから配信されるコンテンツデータを受信し、該受信したコンテンツデータに基づき、前記ウエブサイトの画面を生成して表示するウエブサイト表示処理を実施するための表示手段と、
前記サイトアドレス情報受信手段にて受信したサイトアドレス情報と、前記読み出し手段にて読み出した会員識別情報とを含むサイトアドレス登録要求を送信する登録要求送信手段と、
を備える店舗端末と、
該店舗端末とデータ通信可能に接続され、前記登録要求送信手段から送信されるサイトアドレス登録要求に含まれる会員識別情報とサイトアドレス情報とを対応付けて記憶するためのサイトアドレス情報記憶手段を備える会員管理装置と、
から成るウエブサイト閲覧システムであって、
前記店舗端末は、前記読み出し手段にて読み出した会員識別情報と、該会員識別情報に対応するサイトアドレス情報の送信を要求する旨とを含むサイトアドレス情報送信要求を前記会員管理装置に送信する送信要求送信手段を備え、
前記会員管理装置は、該送信要求送信手段から送信されるサイトアドレス情報送信要求に含まれる会員識別情報に対応付けて前記サイトアドレス情報記憶手段に記憶されているサイトアドレス情報を特定し、該特定したサイトアドレス情報を受信したサイトアドレス情報送信要求の送信元の店舗端末に返信するサイトアドレス情報送信手段を備え、
前記店舗端末は、該サイトアドレス情報送信手段から送信されるサイトアドレス情報のウエブサイトに対応するコンテンツデータの配信を、当該ウエブサイトを提供するサーバコンピュータに要求するためのコンテンツデータ要求手段と、
前記表示手段は、該コンテンツデータ要求手段による要求に応じて前記サーバコンピュータから配信されてきたコンテンツデータに基づき、前記ウエブサイト表示処理を実施することを特徴とするウエブサイト閲覧システム。
【請求項２】
各店舗に設置された前記会員管理装置に接続され、各店舗において会員登録した会員に関する情報を集中管理するとともに、各会員が会員登録している店舗を特定するための会員登録店舗特定手段を備える集中管理装置を有し、
前記会員管理装置は、前記サイトアドレス登録要求の受信に基づいて、該サイトアドレス登録要求を前記集中管理装置に送信し、
前記集中管理装置は、
前記会員管理装置から送信されてきたサイトアドレス登録要求に含まれる会員識別情報から特定される会員が会員となっている店舗と、当該店舗における会員識別情報を特定する会員識別情報特定手段と、
該会員識別情報特定手段にて特定した店舗の会員管理装置に対して、該会員識別情報特定手段にて特定した該店舗における会員識別情報と、受信した前記サイトアドレス登録要求に含まれるサイトアドレス情報とを含むサイトアドレス登録要求を配信するサイトアドレス登録要求配信手段と、を備え、
前記会員管理装置は、該サイトアドレス登録要求配信手段から配信されるサイトアドレス登録要求の受信に基づいて、前記サイトアドレス情報記憶手段に、該サイトアドレス登録要求に含まれる会員識別情報とサイトアドレス情報とを対応付けて記憶することを特徴とする請求項１に記載のウエブサイト閲覧システム。
【請求項３】
前記会員管理装置は、前記サイトアドレス情報記憶手段に各会員識別情報に対応付けて記憶されている複数のサイトアドレス情報に関して、各サイトアドレス情報毎に前記コンテンツデータ要求手段よりコンテンツデータの配信を要求した要求回数を記憶するための要求回数記憶手段を備え、
前記店舗端末は、前記サイトアドレス情報記憶手段に各会員識別情報に対応付けて記憶されている複数のサイトアドレス情報を、前記要求回数記憶手段において記憶されている要求回数の多い順に表示するサイトアドレス情報表示手段を備えることを特徴とする請求項１または２に記載のウエブサイト閲覧システム。
【請求項４】
前記店舗端末は、前記コンテンツデータ要求手段よりコンテンツデータの配信を要求したウエブサイトのサイトアドレス情報を記憶するアクセスアドレス記憶手段と、該アクセスアドレス記憶手段に記憶されているサイトアドレス情報を、会員が所持する携帯端末に送信するためのアクセスアドレス送信手段と、を備えることを特徴とする請求項１〜３のいずれかに記載のウエブサイト閲覧システム。
【請求項５】
前記店舗端末は、前記サイトアドレス情報受信手段にて受信した各サイトアドレス情報の内、前記会員管理装置に登録するサイトアドレス情報の選択を会員より受付けるための登録選択受付け手段を備え、
前記登録要求送信手段は、該登録選択受付け手段にて会員より選択されたサイトアドレス情報を含む前記サイトアドレス登録要求を送信することを特徴とする請求項１〜４のいずれかに記載のウエブサイト閲覧システム。
【請求項６】
前記店舗が遊技場であるとともに、前記店舗端末が前記遊技場内に設置された遊技機に対応して設置される遊技用装置であることを特徴とする請求項１〜５のいずれかに記載のウエブサイト閲覧システム。
【発明の詳細な説明】
【技術分野】
【０００１】
本発明は、遊技場等の店舗において、インターネット上の各種サイトにおける各種コンテンツを表示可能とするためのウエブサイト閲覧システムに関する。
【背景技術】
【０００２】
近年のインターネット並びにインターネット接続機能を有する携帯電話の爆発的な普及に伴い、遊技場等の各種店舗においてもインターネット上のコンテンツ、例えばオークション等を閲覧したいという来店者（利用者）の要望に答えるべく、これらインターネット上のコンテンツを閲覧可能な店舗端末を、店舗内、例えば遊技場内に設けられている遊技機に対応して設けることが一部実施されてきている。
【０００３】
しかしながら、これらインターネット上のコンテンツを閲覧可能とするための店舗端末を、店舗内に設けた場合においては、来店者（利用者）は、前記インターネット接続機能を有する携帯電話にて来店者（利用者）自身が頻繁にアクセスしているサイトに前記店舗端末からアクセスする場合にも、携帯電話内に頻繁にアクセスしているサイトアドレスが登録されているにも拘わらず、逐次サイトアドレス（ＵＲＬ）を店舗端末に入力する必要があり面倒であるという問題から、携帯電話に記憶されているブックマーク等のサイトアドレスの情報を店舗端末、例えば店舗としての遊技場内に設置された遊技機に対応して設けられている遊技用装置であるカードユニットに対して転送し、転送したブックマーク等のサイトアドレスの情報からアクセスしたいサイトのアドレスを選択することで、サイトアドレスを入力する面倒を解消したものがある（例えば、特許文献２参照）。
【０００４】
【特許文献１】特開２００３−３２０１４７号公報（第１３〜１４頁、第１８図）
【発明の開示】
【発明が解決しようとする課題】
【０００５】
これら特許文献１によれば、来店者（利用者）である遊技者のサイトアドレスを入力する面倒を解消でき、利便性を向上できるものの、これら転送して記憶したサイトアドレスの情報は、個人情報であるので、カードの返却に基づいて消去されるようになっていて、該来店者（利用者）である遊技者が後日再来場した場合等には、携帯電話からブックマーク等のサイトアドレスの情報を、店舗端末となるカードユニットに対して再度転送する必要が生じて不便であるという問題があった。
【０００６】
本発明は、このような問題点に着目してなされたもので、来店者（利用者）が後日再来店した場合においても、携帯電話からブックマーク等のサイトアドレスの情報を店舗端末に対して転送することなく、一度転送したブックマーク等のサイトアドレスのサイトにアクセスすることのできるウエブサイト閲覧システムを提供することを目的とする。
【課題を解決するための手段】
【０００７】
上記課題を解決するために、本発明の請求項１に記載のウエブサイト閲覧システムは、
店舗において会員登録した会員に発行され、当該会員を個々に識別可能な会員識別情報が記録された会員用記録媒体を受付け、該受付けた会員用記録媒体に記録されている前記会員識別情報を読み出す読み出し手段と、
会員が所持する携帯端末に記憶されているインターネット網上のサーバコンピュータにより提供されるウエブサイトのサイトアドレス情報を少なくとも受信するためのサイトアドレス情報受信手段と、
前記ウエブサイトを提供するサーバコンピュータから配信されるコンテンツデータを受信し、該受信したコンテンツデータに基づき、前記ウエブサイトの画面を生成して表示するウエブサイト表示処理を実施するための表示手段と、
前記サイトアドレス情報受信手段にて受信したサイトアドレス情報と、前記読み出し手段にて読み出した会員識別情報とを含むサイトアドレス登録要求を送信する登録要求送信手段と、
を備える店舗端末と、
該店舗端末とデータ通信可能に接続され、前記登録要求送信手段から送信されるサイトアドレス登録要求に含まれる会員識別情報とサイトアドレス情報とを対応付けて記憶するためのサイトアドレス情報記憶手段を備える会員管理装置と、
から成るウエブサイト閲覧システムであって、
前記店舗端末は、前記読み出し手段にて読み出した会員識別情報と、該会員識別情報に対応するサイトアドレス情報の送信を要求する旨とを含むサイトアドレス情報送信要求を前記会員管理装置に送信する送信要求送信手段を備え、
前記会員管理装置は、該送信要求送信手段から送信されるサイトアドレス情報送信要求に含まれる会員識別情報に対応付けて前記サイトアドレス情報記憶手段に記憶されているサイトアドレス情報を特定し、該特定したサイトアドレス情報を受信したサイトアドレス情報送信要求の送信元の店舗端末に返信するサイトアドレス情報送信手段を備え、
前記店舗端末は、該サイトアドレス情報送信手段から送信されるサイトアドレス情報のウエブサイトに対応するコンテンツデータの配信を、当該ウエブサイトを提供するサーバコンピュータに要求するためのコンテンツデータ要求手段と、
前記表示手段は、該コンテンツデータ要求手段による要求に応じて前記サーバコンピュータから配信されてきたコンテンツデータに基づき、前記ウエブサイト表示処理を実施することを特徴としている。
この特徴によれば、会員が所持する携帯端末からサイトアドレス情報受信手段にて受信されたサイトアドレス情報が、会員管理装置のサイトアドレス情報記憶手段に記憶され、会員が、自身が所持する会員用記録媒体を店舗端末に挿入することで、前記携帯端末から受信することで該サイトアドレス情報記憶手段に記憶されているサイトアドレス情報が、会員管理装置から該会員用記録媒体を受付けた店舗端末に対して送信されるようになるため、会員が後日再来場した場合においても、携帯端末からブックマーク等のサイトアドレスの情報を店舗端末に対して繰返し転送することなく、一度転送したブックマーク等のサイトアドレス情報のサイトを簡便に閲覧することができる。
【０００８】
本発明の請求項２に記載のウエブサイト閲覧システムは、請求項１に記載のウエブサイト閲覧システムであって、
各店舗に設置された前記会員管理装置に接続され、各店舗において会員登録した会員に関する情報を集中管理するとともに、各会員が会員登録している店舗を特定するための会員登録店舗特定手段を備える集中管理装置を有し、
前記会員管理装置は、前記サイトアドレス登録要求の受信に基づいて、該サイトアドレス登録要求を前記集中管理装置に送信し、
前記集中管理装置は、
前記会員管理装置から送信されてきたサイトアドレス登録要求に含まれる会員識別情報から特定される会員が会員となっている店舗と、当該店舗における会員識別情報を特定する会員識別情報特定手段と、
該会員識別情報特定手段にて特定した店舗の会員管理装置に対して、該会員識別情報特定手段にて特定した該店舗における会員識別情報と、受信した前記サイトアドレス登録要求に含まれるサイトアドレス情報とを含むサイトアドレス登録要求を配信するサイトアドレス登録要求配信手段と、を備え、
前記会員管理装置は、該サイトアドレス登録要求配信手段から配信されるサイトアドレス登録要求の受信に基づいて、前記サイトアドレス情報記憶手段に、該サイトアドレス登録要求に含まれる会員識別情報とサイトアドレス情報とを対応付けて記憶することを特徴としている。
この特徴によれば、会員が所持する携帯端末からサイトアドレス情報受信手段にて受信されたサイトアドレス情報が、当該会員が会員登録しているその他の店舗に設置されている会員管理装置に送信されて、送信先の店舗における当該会員の会員識別情報に対応付けてサイトアドレス情報記憶手段に記憶されるようになるため、会員が、送信先の店舗の店舗端末に、自身が所持する当該店舗の会員用記録媒体を挿入することで、該サイトアドレス情報記憶手段に記憶されている他の店舗において携帯端末から転送したサイトアドレス情報が、会員管理装置から該会員用記録媒体を受付けた店舗端末に対して送信されるようになるため、会員となっている他の店舗において、携帯端末からブックマーク等のサイトアドレスの情報を店舗端末に対して繰返し転送することなく、該ブックマーク等のサイトアドレスのサイトを簡便に閲覧することができる。
【０００９】
本発明の請求項３に記載のウエブサイト閲覧システムは、請求項１または２に記載のウエブサイト閲覧システムであって、
前記会員管理装置は、前記サイトアドレス情報記憶手段に各会員識別情報に対応付けて記憶されている複数のサイトアドレス情報に関して、各サイトアドレス情報毎に前記コンテンツデータ要求手段よりコンテンツデータの配信を要求した要求回数を記憶するための要求回数記憶手段を備え、
前記店舗端末は、前記サイトアドレス情報記憶手段に各会員識別情報に対応付けて記憶されている複数のサイトアドレス情報を、前記要求回数記憶手段において記憶されている要求回数の多い順に表示するサイトアドレス情報表示手段を備えることを特徴としている。
この特徴によれば、サイトアドレス情報記憶手段に複数のサイトアドレス情報が記憶されていても、サイトアドレス情報が要求回数の多い順、つまりは、閲覧頻度が高い順に表示されるので、利用者が閲覧するサイトを選択する上での利便性を向上できる。
【００１０】
本発明の請求項４に記載のウエブサイト閲覧システムは、請求項１〜３のいずれかに記載のウエブサイト閲覧システムであって、
前記店舗端末は、前記コンテンツデータ要求手段よりコンテンツデータの配信を要求したウエブサイトのサイトアドレス情報を記憶するアクセスアドレス記憶手段と、該アクセスアドレス記憶手段に記憶されているサイトアドレス情報を、会員が所持する携帯端末に送信するためのアクセスアドレス送信手段と、を備えることを特徴としている。
この特徴によれば、会員は、店舗端末にてコンテンツデータの配信を要求したサイトのサイトアドレス情報を自身が所持する携帯端末に転送できるようになり、該コンテンツデータの配信を要求したサイトアドレス情報を携帯端末にて再度入力する手間を省くことができるようになるため、会員の利便性を向上できる。
【００１１】
本発明の請求項５に記載のウエブサイト閲覧システムは、請求項１〜４のいずれかに記載のウエブサイト閲覧システムであって、
前記店舗端末は、前記サイトアドレス情報受信手段にて受信した各サイトアドレス情報の内、前記会員管理装置に登録するサイトアドレス情報の選択を会員より受付けるための登録選択受付け手段を備え、
前記登録要求送信手段は、該登録選択受付け手段にて会員より選択されたサイトアドレス情報を含む前記サイトアドレス登録要求を送信することを特徴としている。
この特徴によれば、会員は、自身が所持する携帯端末から転送したサイトアドレス情報の内、前記会員管理装置のサイトアドレス情報記憶手段に記憶するサイトアドレス情報を選択できるので、閲覧の可能性が低いサイトのサイトアドレス情報がサイトアドレス情報記憶手段へ記憶されることを排除して、不必要にサイトアドレス情報記憶手段に記憶されているサイトアドレス情報の数が多くなることを回避でき、よって、多数のサイトアドレス情報から目的のサイトアドレス情報を探す煩雑さを軽減することができる。
【００１２】
本発明の請求項６に記載のウエブサイト閲覧システムは、請求項１〜５のいずれかに記載のウエブサイト閲覧システムであって、
前記店舗が遊技場であるとともに、前記店舗端末が前記遊技場内に設置された遊技機に対応して設置される遊技用装置であることを特徴としている。
この特徴によれば、会員である会員遊技者が、遊技場内の遊技機である台を移動した場合においても、移動先の遊技機に対応して設けられている店舗端末としての遊技用装置に、会員用記録媒体を挿入することで、前記サイトアドレス情報記憶手段に記憶されているサイトアドレス情報が、会員管理装置から該会員用記録媒体を受付けた遊技用装置に対して送信されるようになるため、携帯端末からブックマーク等のサイトアドレスの情報を遊技用装置に対して繰返し転送することなく、一度転送したブックマーク等のサイトアドレスのサイトを簡便に閲覧することができる。
【発明を実施するための最良の形態】
【００１３】
本発明の実施例を以下に説明する。尚、以下の実施例においては、本発明のウエブサイト閲覧システムを店舗である遊技場に特化させた遊技用システムとした例について説明するが、本発明はこれに限定されるものではなく、後述するように、これら遊技場以外の店舗においても、本発明のウエブサイト閲覧システムを適用できることは言うまでもない。
【実施例】
【００１４】
本実施例のウエブサイト閲覧システムは、図１に示すように、店舗としての遊技場内に設置され、遊技場において複数配置された遊技島に並設される遊技機としてのカードリーダ式パチンコ機（以下パチンコ機）２に対して１対１に設置される店舗端末となる遊技用装置としてのカードユニット３と、各遊技場に設置され、当該遊技場において会員登録した会員遊技者に関する情報（当該会員遊技者の携帯端末である携帯電話Ｋから転送されたサイトアドレス情報を含む）を収集、管理する会員管理装置としての会員管理コンピュータ１２０と、これら各遊技場に設置された会員管理コンピュータ１２０、システムコントローラ１００並びに通信回線１１を通じて双方向にデータ通信可能に接続され、各遊技場の会員管理コンピュータ１２０から送信される会員登録情報やサイトアドレス情報を含む後述する登録要求や削除要求の受信に基づいて、各遊技場別の会員遊技者の属性情報や、各会員遊技者のサイトアドレス情報、並びに各遊技場にて使用される会員用記録媒体である会員カード、並びにプリペイドカードであるビジターカードに残存する度数等のカードに関する情報を集中管理する、カード管理会社に設置された集中管理装置を成す管理サーバ１４０と、から主に構成されている。
【００１５】
これら遊技場内に設置されたカードユニット３、会員管理コンピュータ１２０、並びにカードユニット３にて使用される会員カード並びにビジターカードに記録されている遊技用価値である度数の管理等を行うシステムコントローラ１００とは、通信ケーブル８を介して双方向のデータ通信可能に接続され、これら各接続装置にはそれぞれローカルＩＰアドレスが付与されてローカルエリアネットワーク（ＬＡＮ）が形成されていて、該ローカルエリアネットワーク（ＬＡＮ）に接続されている各装置には、当該装置を個々に識別可能な装置ＩＤが付与されており、各装置が装置ＩＤとローカルＩＰアドレスとが対応付けられたＩＰアドレステーブルを有することで、装置ＩＤからローカルＩＰアドレスを特定して、当該装置ＩＤの装置との送受信を実施できるようになっている。
【００１６】
また、前記ローカルエリアネットワーク（ＬＡＮ）には、インターネット網上のサーバコンピュータとの通信を可能とするためのルータ５が接続されており、各カードユニット３は、該ルータ５を通じてインターネット網上の各サーバコンピュータ（コンテンツサーバ）にアクセス可能とされている。
【００１７】
初めに、本実施例にて用いた会員用記録媒体となる会員カードについて説明すると、会員カードは、各遊技場において会員登録した遊技者に対して発行され、該会員カードとしては非接触にてデータの読み出し並びに書き込みが可能な非接触ＩＣカードを用いている。
【００１８】
この、本実施例の会員カードに内蔵されている図示しない集積回路の内部メモリには、前記会員管理コンピュータ１２０における会員関連情報やサイトアドレス情報の管理等に使用され、各会員遊技者を個々に識別可能とされた会員識別情報である会員ＩＤや、当該会員カードが発行された発行遊技場を識別可能とするために固有に付与された遊技場ＩＤが書き換え不可に記録されているとともに、遊技に使用可能な遊技用価値情報としての度数等の情報が書き換え可能に記録されている。
【００１９】
次いで、本発明における遊技用装置となる本実施例のカードユニット３について説明すると、本実施例のカードユニット３の前面には、図２に示すように、各種表示部と紙幣挿入口３０２、硬貨投入口３０３、硬貨返却ボタン３０４、突出部３０５、硬貨返却口３０８、会員カード挿入口３０９、ビジターカード装着口３１０が設けられている。
【００２０】
カードユニット３の前面に設けられる表示部のうち、多機能表示部３０１は、内部に設けられた多機能ＬＥＤ３０１ａの発光態様によりカードユニット３の動作状況等が報知される。
【００２１】
また、カードユニット３の前面に設けられた表示部のうち、方向指示表示部３０６は、対応するパチンコ機２の連結方向を示す表示部であり、パチンコ機２と接続されている場合に内部に設けられた方向指示ＬＥＤ３０６ａ（図４参照）が点灯する。挿入中表示部３０７は、会員カードが挿入中である場合に内部に設けられた挿入中ＬＥＤ３０７ａ（図４参照）が点灯する。
【００２２】
カードユニット３の前面に設けられた会員カード挿入口３０９とビジターカード装着口３１０とは、遊技者から見て左右方向に並設配置されている。会員カード挿入口３０９は、内蔵されるカードリーダライタ３２７（図４参照）の会員カードスロット（図示略）に連設されており、この会員カード挿入口３０９を介して会員カードを会員カードスロットに挿入可能とされている。また、ビジターカード装着口３１０は、カードリーダライタ３２７のビジターカード収容室（図示略）に連設されており、このビジターカード装着口３１０を介してビジターカードをビジターカード収容室に装着可能とされている。
【００２３】
また、ビジターカード収容室にビジターカードが装着された際には、この装着されたビジターカードの先端がビジターカード装着口３１０から突出する態様にて装着されるようになる。更に、ビジターカード装着口３１０の前面には、透明カバー部材３１１が取付けられており、これによりカードリーダライタ３２７に装着されたビジターカードが、透明カバー部材３１１を通して視認できるとともに、透明カバー部材３１１により装着されたビジターカードの抜き取りができない状態とされる。
【００２４】
カードユニット３の前面には、前方に突出する態様にて突出部３０５が設けられている。突出部３０５において、遊技者側に向けられた面には、図３に示すように、表示部３１２と、４方向スクロールスイッチ３１５と、メニュースイッチ３１６と、インターネットスイッチ３１７と、データスイッチ３１８と、再プレイスイッチ３１９と、再プレイ表示部３２０とが設けられている。
【００２５】
突出部３０５に設けられた表示部３１２は、その内部に液晶表示器３１３が内蔵されており、この液晶表示器３１３により各種表示画面が表示される。また、液晶表示器３１３の表面は透明タッチパネル３１４により被覆されており、遊技者が液晶表示器３１３に表示された各種メニュー項目に接触することで各種の操作を画面上において行うことが可能とされている。
【００２６】
突出部３０５に設けられたスイッチのうち、４方向スクロールスイッチ３１５は、上下スイッチと左右スイッチとから構成されており、上下スイッチは、表示部３１２に表示された画面を上下方向にスクロールさせる際に押圧されるスイッチであり、左右スイッチは、表示部３１２に表示されている表示内容を、その直前または直後に表示された表示内容に切り替える際に押圧されるボタンである。
【００２７】
また、突出部３０５に設けられたスイッチのうち、メニュースイッチ３１６、インターネットスイッチ３１７、データスイッチ３１８は、それぞれメインメニュー画面（図示略）、インターネット画面、データ画面（図示略）を表示部３１２に表示する際に押圧されるボタンである。また、再プレイスイッチ３１９は、会員遊技者が、前記会員管理コンピュータにて管理されている後述する貯蓄玉数を用いて遊技を実施する際に押圧するボタンである。
【００２８】
突出部３０５に設けられた再プレイ表示部３２０は、再プレイスイッチ３１９が有効か否かを示す表示部であり、再プレイスイッチ３１９の操作が有効である場合、すなわち遊技者が貯蓄玉数を用いて遊技を実施できる場合、具体的には再プレイ回数が残存する場合において内蔵された再プレイＬＥＤ３２０ａが点灯し、再プレイスイッチ３１９の操作が有効ではない場合、すなわち再プレイ回数が残存しない場合に消灯する。
【００２９】
また、本実施例の突出部５には、図３に示すように、表示部３１２の上部本体側位置に赤外線通信窓３３１が設けられており、該赤外線通信窓３３１内に内設されている赤外線（ＩＲ）通信モジュール３３０により、会員遊技者が所持する携帯端末となる携帯電話Ｋとの間において、赤外線による非接触データ通信（赤外線通信）が可能とされていて、該赤外線通信にて、該携帯電話Ｋにてブックマークとして記憶されている各ウエブサイトのサイトアドレス情報（ＵＲＬ）を、カードユニット３が受信できるとともに、該カードユニット３にてブックマークとして新たに記憶された新規登録サイトアドレス情報を、携帯電話Ｋに送信できるようになっている。
【００３０】
図４は、カードユニット３の構成を示すブロック図である。カードユニット３は、カードリーダライタ３２７と、表示制御基板３２９と、図示しないＭＰＵやＲＯＭやＲＡＭや各部との接続を可能とするＩ／Ｏ回路等を含む制御ユニット３２８と、から主に構成されており、カードリーダライタ３２７及び表示制御基板３２９は、制御ユニット３２８と接続され、各種データの送受が可能とされている。
【００３１】
カードリーダライタ３２７は、会員カードやビジターカードに記録されている（会員）カードＩＤや会員ＩＤ、並びに度数等の記録情報の読み出し並びに書き込みを行うとともに、ＨＵＢ８’を介してシステムコントローラ１００とデータ通信可能に接続されており、挿入された会員カードに記録された会員カードＩＤの認証や度数の確認等をシステムコントローラ１００との間で行う。
【００３２】
表示制御基板３２９には、前述した赤外線（ＩＲ）通信モジュール３３０や、液晶表示器３１３、タッチパネル３１４、各種スイッチ類や前述した再プレイＬＥＤ３２０ａ等の電子部品が接続されていて、赤外線（ＩＲ）通信モジュール３３０にて送受信するデータは、表示制御基板３２９を介して制御ユニット３２８に伝送される。
【００３３】
表示制御基板３２９に接続されている電子部品のうちタッチパネル３１４、スクロールスイッチ３１５、メニュースイッチ３１６、インターネットスイッチ３１７、データスイッチ３１８、再プレイスイッチ３１９は、表示制御基板３２９を介して制御ユニット３２８に接続されており、タッチパネル３１４による位置検出情報や各スイッチの検出信号が制御ユニット３２８に入力される。また、再プレイＬＥＤ３２０も、表示制御基板３２９を介して制御ユニット３２８に接続されており、その点灯制御が制御ユニット３２８により行われる。
【００３４】
また、表示制御基板３２９は、液晶表示器３１３の表示駆動を行う表示駆動回路や、前記タッチパネル３１４からの出力信号に基づいて押圧操作された位置を特定して該特定した入力位置情報を出力する入力位置検出回路や、表示駆動回路の表示処理や画像合成処理に使用されるＶＲＡＭや、各種スイッチが接続されてスイッチからの信号が入力されるＩ／Ｏポートを含み、制御ユニット３２８から出力された各種画面等の表示データを液晶表示器３１３に表示する制御を行う。
【００３５】
制御ユニット３２８には、表示制御基板３２９を介して接続されたスイッチや表示器等の電子部品に加えて、前述した多機能ＬＥＤ３０１ａや方向指示ＬＥＤ３０６ａ、挿入中ＬＥＤ３０７ａからなる電子部品や、紙幣識別ユニット３２１、硬貨識別ユニット３２２が接続されている。
【００３６】
紙幣識別ユニット３２１は、紙幣挿入口３０２に投入された紙幣を取り込んでその真贋や紙幣種別の識別を行う。また、硬貨識別ユニット３２２は、硬貨投入口３０３より投入された硬貨の真贋並びに硬貨種別の識別を行う。
【００３７】
また、制御ユニット３２８には、特に図示しないが、接続されたパチンコ機２に設けられ、パチンコ玉の貸出に使用できる度数（遊技用価値）を表示する度数表示器や、パチンコ玉の貸出を行う際に操作される貸出ボタンの操作を検知する貸出スイッチ、受付け中の会員カードを返却させる際に操作される返却ボタンの操作を検知する返却スイッチが接続されている。
【００３８】
制御ユニット３２８は、各種スイッチの検出信号やタッチパネル３１４の位置検出情報、紙幣識別ユニット３２１や硬貨識別ユニット３２２による識別信号等を受けて、制御ユニット３２８に接続されているＬＥＤ、カードリーダライタ３２７、表示コントローラ３２９、赤外線（ＩＲ）通信モジュール３３０の制御等、全体の動作制御、並びに後述する貸出処理や払戻処理等の各種処理を実行する。
【００３９】
また、制御ユニット３２８は、通信部３３４並びにＨＵＢ８’を介して会員管理コンピュータ１２０やルータ５とデータ通信可能に接続されており、各種データの送受が可能とされている。また、対応するパチンコ機２と接続されており、各種信号の送受が実施可能とされている。
【００４０】
また、制御ユニット３２８は、図４に示すように中継端末４と接続されており、対応するパチンコ機２や、当該パチンコ機２に対して供給されたパチンコ玉を検出する供給玉検出スイッチ６、当該パチンコ機２から回収されたパチンコ玉を検出するアウト玉検出スイッチ７から出力された各種遊技情報、すなわちパチンコ機２の遊技に関連して発生する情報を示す信号が中継端末４を介して入力されるようになっており、該入力された信号に基づく遊技情報が、通信部３３４並びにＨＵＢ８’を介して、会員管理コンピュータ１２０に所定フォーマットの遊技情報データとして送信されることで、会員管理コンピュータ１２０において各会員遊技者毎の遊技履歴が収集、管理される。
【００４１】
この本実施例のカードユニット３において実施される各処理内容について説明すると、まず、制御ユニット３２８は、会員カード挿入口３０９に挿入された会員カードに対して利用の可／不可を判別する受付処理を行う。
【００４２】
また、制御ユニット３２８は、受付処理において受付けられた会員カードより読み出された度数が残存する場合であって、パチンコ機２に備えられる貸出ボタンの操作が検出された場合に、対応するパチンコ機２に対して貸出要求を出力し、パチンコ玉の貸出を実施させる貸出処理を行う。
【００４３】
また、制御ユニット３２８は、会員カードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、受付けられている会員カードより読み出された度数に加算する追加入金処理を行う。
【００４４】
また、制御ユニット３２８は、会員カードが受付けられていない場合に低額紙幣（１０００円紙幣）または硬貨（１００円硬貨、５００円硬貨）が挿入または投入されて識別された場合に、この識別された金額に相当する度数をビジターカード装着口３１０に装着されているビジターカードに記録した後、この記録した度数の全てを使用して、対応するパチンコ機２に対して貸出要求を出力し、パチンコ玉の貸出を実施させる発行貸出処理を行う。
【００４５】
また、制御ユニット３２８は、会員遊技者が以前の遊技にて貯蓄した貯蓄玉数を、会員管理コンピュータ１２０から入手し、この入手した貯蓄玉数を使用して、対応するパチンコ機２に対して払戻要求を出力し、所定数のパチンコ玉の払い戻しを実施させる払戻処理を行う。
【００４６】
また、制御ユニット３２８は、カードユニット３と１対１に並設されたパチンコ機２が備える返却ボタンが会員遊技者により操作された場合に、ブックマークデータとして記憶している各サイトアドレス情報と、当該サイトアドレス情報のウエブサイトへのアクセス回数と、受付け中の会員カードから読み出した会員ＩＤとを含むアクセス情報を会員管理コンピュータ１２０に送信するアクセス情報送信処理と、該ブックマークデータを消去する消去処理とを実施するとともに、受付け中の会員カードの返却を実施させる返却処理を行う。
【００４７】
また本実施例では、制御ユニット３２８に、ＨＴＭＬ（ハイパー・テキスト・マークアップ・ランゲージ）形式にて記載された表示データを液晶表示器３１３に表示させるためのブラウザ機能が搭載されており、制御ユニット３２８は、前記インターネットスイッチ３１７の操作に基づいて、該制御ユニット３２８に搭載されている図示しないＲＯＭに記憶されているブラウザアプリケーションプログラム（ブラウザソフト）を起動し、指定されたサイトアドレス情報のウエブサイトを提供するサーバコンピュータに対してコンテンツデータの配信を要求するコンテンツデータ要求処理を実施するとともに、該コンテンツデータ要求処理に基づいて指定されたサイトアドレス情報のウエブサイトを提供するサーバコンピュータから送信されてくるＨＴＭＬ形式のコンテンツデータ基づき、該ウエブサイトの画面を生成して表示部３１２に表示するウエブサイト表示処理を実施し、前記コンテンツデータ要求処理によって本発明におけるコンテンツデータ要求手段が形成され、前記ウエブサイト表示処理によって本発明における表示手段が形成されている。
【００４８】
また、制御ユニット３２８は、会員遊技者が所持する携帯電話Ｋにブックマークデータとして記憶されているサイトアドレス情報を、前記赤外線（ＩＲ）通信モジュール３３０により受信するサイトアドレス情報受信処理を実施し、該サイトアドレス情報受信処理によって本発明のサイトアドレス情報受信手段が形成されている。
【００４９】
また、制御ユニット３２８は、前記サイトアドレス情報受信処理にて受信したサイトアドレス情報を、表示部３１２に選択可能に一覧表示して、会員管理コンピュータ１２０に登録（記憶）するサイトアドレス情報の選択を会員遊技者から受付ける登録アドレス選択受付け処理を実施し、該登録アドレス選択受付け処理によって本発明における登録選択受付け手段が形成されている。
【００５０】
また、制御ユニット３２８は、前記サイトアドレス情報受信処理にて受信したサイトアドレス情報に含まれるサイトアドレス情報の内、前記登録アドレス選択受付け処理にて会員遊技者により選択されたサイトアドレス情報と、前記カードリーダライタ３２７にて受付け中の会員カードから読み出した会員ＩＤとを含む本発明のサイトアドレス登録要求となる登録要求を会員管理コンピュータ１２０に対して送信する登録要求送信処理を実施し、該登録要求送信処理によって本発明における登録要求送信手段が形成されている。
【００５１】
また、制御ユニット３２８は、前記カードリーダライタ３２７に新たな会員カードを受付けたときに、当該新たに受付けた会員カードから読み出した会員ＩＤを含み、該会員ＩＤに対応するサイトアドレス情報の送信を要求する旨となる、本発明におけるサイトアドレス情報送信要求となる会員カード受付け通知を前記会員管理コンピュータ１２０に送信する会員カード受付け通知送信処理を実施し、該会員カード受付け通知送信処理によって本発明における送信要求送信手段が形成されている。
【００５２】
また、制御ユニット３２８は、前記会員カード受付け通知の送信に基づいて会員管理コンピュータ１２０から返信されてくるブックマーク情報に含まれるサイトアドレス情報とアクセス回数とをブックマークデータとして記憶するとともに、該ブックマークデータとして記憶したサイトアドレス情報を、会員遊技者によりブックマークの選択入力操作がなされたときに、アクセス回数順にて選択可能に一覧表示するサイトアドレス情報表示処理を実施し、該サイトアドレス情報表示処理によって本発明のサイトアドレス情報表示手段が形成されている。
【００５３】
また、制御ユニット３２８は、前記コンテンツデータ要求処理においてコンテンツデータの配信を要求したウエブサイトのサイトアドレス情報の内、後述するブックマークへの登録操作により新たにブックマークに登録した新規登録サイトアドレス情報を記憶する新規登録サイトアドレス情報記憶処理を実施し、該新規登録サイトアドレス情報記憶処理によって本発明におけるアクセスアドレス記憶手段が形成されている。
【００５４】
また、制御ユニット３２８は、前記新規登録サイトアドレス情報記憶処理にて記憶した新規登録サイトアドレス情報を、後述する転送メニューの選択入力操作に基づいて前記赤外線（ＩＲ）通信モジュール３３０を介して会員遊技者の携帯電話Ｋに送信する新規登録サイトアドレス情報送信処理を実施し、該新規登録サイトアドレス情報送信処理によって本発明におけるアクセスアドレス送信手段が形成されている。
【００５５】
次に、本実施例に用いた会員管理装置としての会員管理コンピュータ１２０について説明すると、本実施例の会員管理コンピュータ１２０は、図５に示すように、コンピュータ内部にてデータの送受を行うデータバス１２１に、該会員管理コンピュータ１２０が実施する各種処理等を行うＣＰＵ１２２、処理時の一時記憶領域等として使用されるＲＡＭ１２３、現在の時刻情報やカレンダ情報を出力するリアルタイムクロック（ＲＴＣ）１２４、磁気ディスクや光磁気ディスクから成る記憶装置１２５、キーボードやマウス等の前記会員属性情報入力手段となる入力装置１２６、各種情報を表示出力する表示装置１２７、各種情報をプリント出力するプリンタ１２８、カードユニット３システムコントローラ１００や該システムコントローラ１００を介しての管理サーバ１４０とのデータ通信を行うための通信部１２９が接続された通常のコンピュータである。
【００５６】
また、記憶装置１２５には、会員管理コンピュータ１２０の処理を実施するための処理プログラムに加えて、各会員遊技者に関する各種の会員関連情報が登録（記憶）される会員情報テーブル（図６（ａ）参照）や、各会員遊技者の会員ＩＤに対応付けて、該会員遊技者が登録（記憶）を希望したサイトアドレス情報と、該サイトアドレス情報のウエブサイトへのアクセス回数とが記憶されるサイトアドレステーブル（図６（ｂ）参照）が記憶されている。
【００５７】
この本実施例の会員情報テーブルには、図６（ａ）に示すように、各会員遊技者を個々に識別可能とするために、各会員遊技者に当該遊技場にて固有に付与された会員識別情報である会員ＩＤに対応付けて、当該会員遊技者が所有する貯蓄玉数と、その時点の来店ポイント数と、来店回数と、会員の氏名（名字並びに名前）、性別、年齢、誕生日、職業、住所、電子メールアドレスからなる会員属性情報とが登録されている。
【００５８】
また、本発明における要求回数記憶手段となるサイトアドレステーブルには、図６（ｂ）に示すように、各会員遊技者の会員ＩＤに対応付けて、該会員遊技者が（記憶）を希望したサイトアドレス情報と、該サイトアドレス情報のウエブサイトへのアクセス回数とが記憶されている。
【００５９】
また、本実施例の会員管理コンピュータ１２０のＣＰＵ１２２は、カードユニット３に新たに会員カードが受付けられたことに基づいて、当該カードユニット３から送信されるサイトアドレス情報送信要求となる会員カード受付け通知の受信に基づき、該受信した会員カード受付け通知に含まれる会員ＩＤに対応付けて前記サイトアドレステーブルに記憶されているサイトアドレス情報と該サイトアドレス情報に対応するアクセス回数とを全て特定し、該特定した全てのサイトアドレス情報とアクセス回数とを含むブックマーク情報を、受信した会員カード受付け通知の送信元のカードユニット３に対して返信するブックマーク情報送信処理を実施し、該ブックマーク情報送信処理によって本発明におけるサイトアドレス情報送信手段が形成されている。
【００６０】
また、本実施例の会員管理コンピュータ１２０のＣＰＵ１２２は、カードユニット３の制御ユニット３２８にて実施される登録要求送信処理において送信される登録要求の受信に基づいて、該登録要求に含まれる会員ＩＤとサイトアドレス情報とを対応付けて前記サイトアドレステーブルに記憶するサイトアドレス情報記憶処理を実施するとともに、該受信した登録要求に当該遊技場を個々に識別可能とするために固有に付与された遊技場ＩＤを付加して前記管理サーバ１４０に対して送信する登録要求中継処理を実施し、前記サイトアドレス情報記憶処理によって本発明のサイトアドレス情報記憶手段が形成されている。
【００６１】
また、本実施例の会員管理コンピュータ１２０のＣＰＵ１２２は、カードユニット３の制御ユニット３２８から送信される削除要求の受信に基づいて、該削除要求に含まれる会員ＩＤに対応付けて前記サイトアドレステーブルに記憶されている、該受信した削除要求に含まれるサイトアドレス情報を削除するサイトアドレス情報削除処理を実施するとともに、該受信した削除要求に当該遊技場の遊技場ＩＤを付加して前記管理サーバ１４０に対して送信する削除要求中継処理を実施する。
【００６２】
また、本実施例の会員管理コンピュータ１２０のＣＰＵ１２２は、会員カードの返却操作に基づいてカードユニット３の制御ユニット３２８から送信されるアクセス情報の受信に基づいて、該アクセス情報に含まれる会員ＩＤに対応付けて前記サイトアドレステーブルに記憶されている各サイトアドレス情報のアクセス回数を、該受信したアクセス情報に含まれる各サイトアドレス情報のアクセス回数に更新するアクセス回数更新処理を実施するとともに、該受信したアクセス情報に当該遊技場の遊技場ＩＤを付加して前記管理サーバ１４０に対して送信するアクセス情報中継処理を実施する。
【００６３】
また、本実施例の会員管理コンピュータ１２０のＣＰＵ１２２は、管理サーバ１４０から送信されてくる登録要求に含まれる会員ＩＤとサイトアドレス情報とを対応付けて前記サイトアドレステーブルに記憶するサイトアドレス情報記憶処理を実施する。
【００６４】
また、本実施例の会員管理コンピュータ１２０のＣＰＵ１２２は、管理サーバ１４０から送信されてくる削除要求の受信に基づいて、該削除要求に含まれる会員ＩＤに対応付けて前記サイトアドレステーブルに記憶されている、該受信した削除要求に含まれるサイトアドレス情報を削除するサイトアドレス情報削除処理を実施する。
【００６５】
また、本実施例の会員管理コンピュータ１２０のＣＰＵ１２２は、管理サーバ１４０から送信されてくるアクセス情報の受信に基づいて、該アクセス情報に含まれる会員ＩＤに対応付けて前記サイトアドレステーブルに記憶されている各サイトアドレス情報のアクセス回数を、該受信したアクセス情報に含まれる各サイトアドレス情報のアクセス回数に更新するアクセス回数更新処理を実施する。
【００６６】
次いで、本発明における集中管理装置となる管理サーバ１４０の構成について説明すると、管理サーバ１４０は、図７に示すように、コンピュータ内部にてデータの送受を行うデータバス１４１に、該管理サーバ１４０が実施する各遊技場にて使用される会員カードやビジターカードに残存する度数や使用度数等の管理を行うための処理や、後述する記憶装置１４５に記憶されている各テーブルを更新する処理等の各種処理を行うＣＰＵ１４２、処理時の一時記憶領域等として使用されるＲＡＭ１４３、キーボードやマウス等の入力装置１４４、磁気ディスクや光磁気ディスクから成る記憶装置１４５、各種情報を表示出力する表示装置１４６、現在の時刻情報やカレンダ情報を出力するリアルタイムクロック（ＲＴＣ）１４７、通信回線１１を通じて各遊技場に設置されたシステムコントローラ１００とのデータ通信を実施するためのデジタルサービスユニット（ＤＳＵ）１４８とが接続された処理能力に優れたサーバ用のコンピュータである。
【００６７】
また、記憶装置１４５には、管理サーバ１４０が実施する各種処理内容が記述された処理プログラムに加えて、会員カードやビジターカードに残存する度数や入金額等のデータ等が記憶されるカード管理ＤＢや、図８（ａ）に示す遊技場別会員情報データベースや、図８（ｂ）に示す会員ＩＤテーブルや、図９に示す会員別サイトアドレステーブルが記憶されている。
【００６８】
この実施例の遊技場別会員情報データベースには、図８（ａ）に示すように、個々の遊技場毎に、各遊技場において会員登録した会員遊技者の会員ＩＤと、来店ポイントと、来店回数と、会員の氏名（名字並びに名前）、性別、年齢、誕生日、職業、住所、電子メールアドレスから成る会員属性情報が記憶されており、これら遊技場別会員情報データベースの記憶データは、前記会員管理コンピュータ１２０から新規会員登録がなされたときに送信される会員登録情報や、会員情報テーブルの登録内容に変更があったときに送信される会員遊技関連情報の受信に基づいて更新記憶されることで、各遊技場において会員登録した会員遊技者に関する情報を集中管理するようになっている。
【００６９】
また、本実施例の会員ＩＤテーブルには、図８（ｂ）に示すように、前記遊技場別会員情報データベースにおいて同一の氏名と電子メールアドレスとに対応付けて記憶されている会員ＩＤを抽出して特定し、該特定した各会員遊技者の氏名と電子メールアドレスに対応付けて、当該会員遊技者が会員となっている遊技場の遊技場ＩＤに対応する項目には、当該遊技場における当該会員遊技者の会員ＩＤを記憶（登録）するとともに、当該会員遊技者が会員ではない遊技場の遊技場ＩＤに対応する項目には「−」を記憶（登録）することによって、各会員遊技者がどの遊技場において会員となっているかとともに該会員となっている各遊技場における会員ＩＤを簡便に特定できるようになっており、このようにすることで、会員遊技者が会員となっている１つの遊技場の遊技場ＩＤと会員ＩＤに対応付けて前記遊技場別会員情報データベースに記憶されている氏名と電子メールアドレスとを特定し、該特定した氏名と電子メールアドレスに対応付けて該会員ＩＤテーブルに記憶されている会員ＩＤと該会員ＩＤに対応する遊技場ＩＤを特定することで、当該会員遊技者が会員となっている全ての遊技場とその遊技場における会員ＩＤとを簡便に特定できるようになっており、該会員ＩＤテーブルによって本発明のおける会員登録店舗特定手段が形成されている。
【００７０】
また、本実施例の会員別サイトアドレステーブルには、図９に示すように、各会員遊技者の氏名と電子メールアドレスに対応付けて、当該会員遊技者が遊技場において会員管理コンピュータ１２０への登録（記憶）を希望した各サイトアドレス情報と、当該サイトアドレス情報のウエブサイトへのアクセス回数とが記憶されている。
【００７１】
また、本実施例の管理サーバ１４０のＣＰＵ１４２は、会員管理コンピュータ１２０からの登録要求の受信に基づいて、該受信した登録要求に付加されている遊技場ＩＤと、該受信した登録要求に含まれる会員ＩＤとに対応付けて遊技場別会員情報データベースに記憶されている氏名と電子メールアドレスとを特定するとともに、該特定した氏名と電子メールアドレスに対応付けて、受信した登録要求に含まれているサイトアドレス情報を会員別サイトアドレステーブルに更新記憶する会員別サイトアドレステーブル更新処理を実施するとともに、前記特定した氏名と電子メールアドレスに対応して会員ＩＤテーブルに記憶されている会員ＩＤと該会員ＩＤに対応する遊技場ＩＤとを全て特定することで、受信した登録要求に含まれる会員ＩＤから特定される会員遊技者が会員となっている遊技場と、当該遊技場における会員ＩＤとを特定する会員ＩＤ特定処理を実施し、該会員ＩＤ特定処理によって本発明における会員識別情報特定手段が形成されている。
【００７２】
また、本実施例の管理サーバ１４０のＣＰＵ１４２は、受信した登録要求に含まれる会員ＩＤに代えて、前記会員ＩＤ特定処理にて特定した会員ＩＤの内の受信した登録要求に含まれる会員ＩＤ以外の会員ＩＤを含む登録要求を、該会員ＩＤに対応する遊技場に設置されている会員管理コンピュータ１２０に対して配信する登録要求配信処理を実施し、該登録要求配信処理によって本発明におけるサイトアドレス登録要求配信手段が形成されている。
【００７３】
また、本実施例の管理サーバ１４０のＣＰＵ１４２は、会員管理コンピュータ１２０からの削除要求の受信に基づいて、該受信した削除要求に付加されている遊技場ＩＤと、該受信した削除要求に含まれる会員ＩＤとに対応付けて遊技場別会員情報データベースに記憶されている氏名と電子メールアドレスとを特定するとともに、該特定した氏名と電子メールアドレスに対応付けて会員別サイトアドレステーブルに記憶されているサイトアドレス情報の内、受信した削除要求に含まれているサイトアドレス情報を削除更新する会員別サイトアドレステーブル更新処理を実施するとともに、前記会員ＩＤ特定処理を実施して、受信した削除要求に含まれる会員ＩＤに代えて、該会員ＩＤ特定処理にて特定した会員ＩＤの内の受信した削除要求に含まれる会員ＩＤ以外の会員ＩＤを含む削除要求を、該会員ＩＤに対応する遊技場に設置されている会員管理コンピュータ１２０に対して配信する削除要求配信処理を実施する。
【００７４】
また、本実施例の管理サーバ１４０のＣＰＵ１４２は、会員管理コンピュータ１２０からのアクセス情報の受信に基づいて、該受信したアクセス情報に付加されている遊技場ＩＤと、該受信したアクセス情報に含まれる会員ＩＤとに対応付けて遊技場別会員情報データベースに記憶されている氏名と電子メールアドレスとを特定するとともに、該特定した氏名と電子メールアドレスに対応付けて会員別サイトアドレステーブルに記憶されている各サイトアドレス情報のアクセス回数を、該受信したアクセス情報に含まれる各サイトアドレス情報のアクセス回数に更新する会員別サイトアドレステーブル更新処理を実施するとともに、前記会員ＩＤ特定処理を実施して、受信したアクセス情報に含まれる会員ＩＤに代えて、該会員ＩＤ特定処理にて特定した会員ＩＤの内の受信したアクセス情報に含まれる会員ＩＤ以外の会員ＩＤを含むアクセス情報を、該会員ＩＤに対応する遊技場に設置されている会員管理コンピュータ１２０に対して配信するアクセス情報配信処理を実施する。
【００７５】
以下、本実施例のウエブサイト閲覧システムの処理状況について、図１０〜図１５に示す表示部３１２の表示内容や、図１６に基づいて説明する。
【００７６】
まず、会員遊技者が会員カードを前記カード挿入口３１９へ挿入した場合には、前記カードリーダライタ３２７が、該挿入された（受付けた）会員カードから会員ＩＤ、度数等の記録情報を読み出して一時記憶するとともに、受付けた会員カードから読み出した会員ＩＤと度数データを含む使用許諾要求をシステムコントローラ１００に送信して、該システムコントローラ１００と連携して受付けた会員カードの認証処理（残存度数に不正がないか否か）を実施し、該認証処理にて認証が「ＯＫ」であった場合に、制御ユニット３２８に対して、受付けた会員カードから読み出して一時記憶している会員ＩＤと度数とを制御ユニット３２８に出力することで、制御ユニット３２８は、新たな会員カードの受付けがあったと判断するとともに、該出力されてきた会員ＩＤと度数とを制御ユニット３２８に搭載されている図示しないＲＡＭの所定領域に記憶する。
【００７７】
そして、該記憶した会員ＩＤと、各カードユニット１００を個々に識別可能とするために各カードユニット３に固有に付与された装置ＩＤとを含み、新たな会員カードを受付けた旨となる会員カード受付通知を会員管理コンピュータ１２０に送信する。
【００７８】
この会員カード受付通知の受信に基づいて、会員管理コンピュータ１２０（ＣＰＵ１２２）は、該受信した会員カード受付通知に含まれる会員ＩＤに対応付けて会員情報テーブルに記憶されている来店ポイントに所定のポイント数を、１日１回のみ加算更新する。
【００７９】
そして、会員管理コンピュータ１２０（ＣＰＵ１２２）は、受信した会員カード受付通知に含まれる会員ＩＤに対応付けてサイトアドレステーブルに記憶されているサイトアドレス情報とアクセス数とを含むブックマーク情報を、受信した会員カード受付通知に含まれる装置ＩＤから特定される会員カード受付通知の送信元のカードユニット３に送信する。
【００８０】
このブックマーク情報を受信したカードユニット３の制御ユニット３２８は、該受信したブックマーク情報に含まれるサイトアドレス情報と各サイトアドレス情報のアクセス回数とを、該制御ユニット３２８に実装されている図示しないＲＡＭにブックマークデータとして記憶する。
【００８１】
このブックマークデータを記憶した後、制御ユニット３２８は、表示部３１２に受付けた会員カードから読み出した度数を使用して遊技をするか、或いは会員管理コンピュータ１２０にて管理されている貯蓄玉数を用いて再プレイ遊技をするかの選択画面を表示部３１２に表示して遊技選択受付けを実施し、度数を使用しての遊技が会員遊技者により選択された場合には、パチンコ機２に備えられた図示しない貸出ボタンの操作の検出に基づいて前述の貸出処理を実施し、再プレイが会員遊技者により選択された場合には、会員カードから読み出した会員ＩＤを含む貯玉抽出要求を会員管理コンピュータ１２０に送信して、該会員管理コンピュータ１２０から受付け中の会員カードを所持する会員遊技者が所有する貯蓄玉数を入手して、該入手した貯蓄玉数に基づく再プレイ回数を算出して、該再プレイ回数が存在する場合に、前述の払戻処理を実施する。
【００８２】
これら貸出処理や払戻処理による遊技の実施中において、インターネットスイッチ３１７の操作が為された場合には、該操作（インターネット操作）に基づいて制御ユニット３２８は、前述のように、ブラウザアプリケーションプログラム（ブラウザソフト）を起動して、表示部３１２の表示画面上部領域に該ブラウザソフトに基づくブラウザの操作に必要な各種選択入力部を備えるブラウザ画面を表示するとともに（図１０〜図１５参照）、デフォルトに設定されているサイトアドレス情報のウエブサイトを提供するサーバコンピュータに対してコンテンツデータの配信を要求するコンテンツデータ要求処理を実施して、該コンテンツデータ要求処理に基づいてデフォルトに設定されているサイトアドレス情報のウエブサイトを提供するサーバコンピュータから送信されてくるＨＴＭＬ形式のコンテンツデータ基づき、該デフォルトサイトの画面を生成して表示部３１２に表示する。尚、本実施例では、ブラウザ画面の下部領域には、文字や数字並びにひらがなの入力が可能な入力領域が表示されており、これら入力領域より直接サイトのアドレス（ＵＲＬ）を入力することで、任意のサイトにもアクセスすることができる。
【００８３】
また、本実施例では、図１０〜図１５に示すように、前記ブラウザの操作に必要な各種操作項目の最も上部のメニューバーの下部位置に、ブックマークに関する操作を行うためのブックマーク関連選択入力部を設けており、該ブックマーク関連選択入力部には、当該カードユニット３にてアクセスして新規にブックマークとして記憶したサイトアドレス情報を携帯電話Ｋに転送させるための「転送」の選択入力部と、登録されているブックマークデータを消去するための「消去」の選択入力部と、アクセス中のウェブサイトのサイトアドレス情報をブックマークとして記憶させるための「登録」の選択入力部が設けられている。
【００８４】
そして、前記会員管理コンピュータ１２０のサイトアドレステーブルに、会員遊技者が既に、自分が所持している携帯電話Ｋにブックマークとして記憶しているサイトアドレス情報が既に記憶されていて、該サイトアドレス情報が前述のように、会員カードを挿入することで当該カードユニット３においてブックマークデータとして記憶されている場合には、図１２に示すように、ブラウザソフトが起動されることにより表示される「ブックマーク」の選択入力部を会員遊技者が選択入力（ブックマーク操作）することで、制御ユニット３２８は、ブックマークデータとして記憶されているサイトアドレス情報をアクセス回数に基づいて順位付けし、各サイトアドレス情報を上方から下方へアクセス回数順に選択可能に一覧表示する。
【００８５】
そして、制御ユニット３２８は、該表示したサイトアドレス情報の内、会員遊技者が選択（指定）したサイトアドレス情報を特定して、当該選択されたサイトアドレス情報のウエブサイトを提供するサーバコンピュータに対してコンテンツデータの配信を要求するとともに、該コンテンツデータ要求処理に基づいて選択（指定）されたサイトアドレス情報のウエブサイトを提供するサーバコンピュータから送信されてくるＨＴＭＬ形式のコンテンツデータ基づき、該ウエブサイトの画面を生成して表示部３１２に表示するとともに、ブックマークデータとして記憶している当該サイトアドレス情報のアクセス回数に１を加算更新する。
【００８６】
また、本実施例においては、利用者がインターネットに接続可能な携帯電話Ｋを所有している場合に、該携帯電話Ｋにブックマークとして記憶されているサイトアドレス情報を、（ＩＲ）通信モジュール３１０を通じてカードユニット３へ転送できるようになっており、これらサイトアドレス情報が会員管理コンピュータ１２０のサイトアドレステーブルに記憶される流れについて説明すると、具体的には、図１０に示す携帯電話Ｋにおいて、電話やメールが着信した際の着信音や、電話帳として登録されているアドレス帳などを設定・更新可能なメニュー画面を呼び出し、複数のメニューの中から「ブックマーク転送」を選択する。
【００８７】
次いで「ブックマーク転送」が選択された後に、携帯電話Ｋに設けられている他の携帯電話等とアドレス帳やブックマークを転送する際に用いられる赤外線ポートＩＲと、赤外線通信窓３３１とを対向させるようにした状態で、携帯電話Ｋの実行ボタンを操作すると、携帯電話ＫのＲＡＭ内に記憶されているブックマークデータ（サイトアドレス情報）が、カードユニット３の制御ユニット３２８へ転送されて、該制御ユニット３２８の図示しないＲＡＭ内に一時記憶される。
【００８８】
そして、制御ユニット３２８は、これら一時記憶したサイトアドレス情報を、図１１（ａ）に示すように、受信ブックマークリストとして選択可能に一覧表示して、管理装置となる会員管理コンピュータ１２０に記憶するサイトアドレス情報（ＵＲＬ）の選択を、会員遊技者から受付ける。
【００８９】
会員遊技者は、この受信ブックマークリストの表示に基づいて、カードユニット３に転送したサイトアドレス情報（ＵＲＬ）の内、管理装置となる会員管理コンピュータ１２０に記憶（登録）するサイトアドレス情報（ＵＲＬ）のみを選択し、会員管理コンピュータ１２０に記憶（登録）する必要のない不必要なサイトアドレス情報（ＵＲＬ）を選択しないことで登録しないようにする。
【００９０】
そして、これら選択されたサイトアドレス情報（ＵＲＬ）のみが制御ユニット３２８に実装されている図示しないＲＡＭに記憶されているブックマークデータとして記憶される。尚、この際、既にブックマークデータに以前に転送したサイトアドレス情報の記憶がある場合には、選択されたサイトアドレス情報と、既にブックマークデータとして記憶されているサイトアドレス情報とを比較して、既に記憶（登録）されているサイトアドレス情報以外の未だ記憶（登録）されていないサイトアドレス情報のみをブックマークデータとして追加記憶し、そのアクセス回数を「０」としてブックマークデータを更新するとともに、該新たにブックマークデータとして記憶したサイトアドレス情報と会員ＩＤとを含む登録要求を会員管理コンピュータ１２０に対して送信した後、サイトアドレスの登録が完了した旨を、図１１（ｂ）に示すように、表示部３１２に表示して会員遊技者に報知する。
【００９１】
この登録要求の受信に基づいて会員管理コンピュータ１２０（ＣＰＵ１２２）は、受信した登録要求に含まれる会員ＩＤに対応付けて、登録要求に含まれるサイトアドレス情報をサイトアドレステーブルに記憶（登録）するとともに、そのアクセス回数に「０」を記憶してサイトアドレステーブルを更新することで、前述のように、カードユニット３から会員カード受付通知を受信したときに、該サイトアドレステーブルに受信した会員カード受付通知に含まれる会員ＩＤに対応して記憶されているサイトアドレス情報とアクセス回数とを含むブックマーク情報が、該会員ＩＤが記録された会員カードを受付け中のカードユニット３に送信されることで、会員遊技者は、一々、ブックマークデータを携帯電話Ｋからカードユニット３へ転送することなく、パチンコ機２を移動しても、後日再来場しても携帯電話Ｋにブックマークとして記憶しているサイトアドレス情報のウエブサイトに簡便にアクセスすることができる。
【００９２】
そして、本実施例では、これら１つの遊技場の会員管理コンピュータ１２０に記憶したサイトアドレス情報が、当該会員遊技者が会員登録をしているその他の遊技場の会員管理コンピュータ１２０にも記憶（登録）されるようになっており、その流れについて説明すると、会員管理コンピュータ１２０（ＣＰＵ１２２）は、前述した登録要求の受信に基づいてサイトアドレステーブルを更新した後、図１６に示すように、受信した登録要求に、当該会員管理コンピュータ１２０が設置された遊技場を識別可能とするために固有に付与された遊技場ＩＤを付加して管理サーバ１４０に対して送信する。
【００９３】
そして、該登録要求の受信に基づいて管理サーバ１４０（ＣＰＵ１４２）は、受信した登録要求に付加された遊技場ＩＤと、該登録要求に含まれる会員ＩＤに対応付けて遊技場別会員情報データベースに記憶されている氏名と電子メールアドレスとを特定するとともに、該特定した氏名と電子メールアドレスに対応付けて受信した登録要求に含まれるサイトアドレス情報を会員別サイトアドレステーブルに記憶するとともに、そのアクセス回数に「０」を記憶して会員別サイトアドレステーブルを更新する。
【００９４】
次いで、管理サーバ１４０（ＣＰＵ１４２）は、前記にて特定した氏名と電子メールアドレスに対応付けて会員ＩＤテーブルに記憶されている会員ＩＤを全て特定し、該特定した会員ＩＤの内、受信した登録要求に含まれる会員ＩＤ以外の会員ＩＤ、つまり、会員遊技者が会員登録しているその他の遊技場における会員ＩＤを含む登録要求を、該会員ＩＤに対応する遊技場（会員ＩＤテーブルから特定可能）に設置されている会員管理コンピュータ１２０に対して、システムコントローラ１００を介して送信する。
【００９５】
この管理サーバ１４０からの登録要求の受信に基づいて会員管理コンピュータ１２０（ＣＰＵ１２２）は、受信した登録要求に含まれる会員ＩＤに対応付けて、登録要求に含まれるサイトアドレス情報をサイトアドレステーブルに記憶（登録）するとともに、そのアクセス回数に「０」を記憶してサイトアドレステーブルを更新することで、前述のように、会員管理コンピュータ１２０（ＣＰＵ１２２）がカードユニット３から会員カード受付通知を受信したときに、該サイトアドレステーブルに受信した会員カード受付通知に含まれる会員ＩＤに対応して記憶されているサイトアドレス情報とアクセス回数とを含むブックマーク情報が、該会員ＩＤが記録された会員カードを受付け中のカードユニット３に送信されるととで、会員遊技者は、一々、ブックマークデータを携帯電話Ｋからカードユニット３へ再度転送することなく、他の遊技場において携帯電話Ｋから一度転送したサイトアドレス情報のウエブサイトに簡便にアクセスすることができる。
【００９６】
また、本実施例では、カードユニット３にて新たにブックマーク登録したサイトアドレス情報が、携帯電話Ｋからのサイトアドレス情報と同様に、当該遊技場の会員管理コンピュータ１２０に記憶されるとともに、当該会員遊技者が会員登録しているその他の遊技場に設置されている会員管理コンピュータ１２０にも記憶されるようになっており、これらの流れについて説明すると、カードユニット３の制御ユニット３２８は、図１３に示すように、ブラウザ画面に設けられている前記ブックマーク関連選択入力部の「登録」の選択入力部が選択されると、該ブックマーク登録操作に基づいて、その時点にてアクセス中（表示中）のウエブサイトのサイトアドレス情報をブックマークとして登録するか否かの選択を受付け、該受付けにおいて「登録する」の選択に基づいて該サイトアドレス情報を図示しないＲＡＭ内の所定領域に新規登録サイトアドレス情報として一時記憶するとともに、該新規登録サイトアドレス情報をブックマークデータとして記憶しているサイトアドレス情報に追加記憶してブックマークデータを更新（対応するアクセス回数に「１」を記憶）し、新たに記憶したサイトアドレス情報とアクセス回数「１」と会員ＩＤとを含む登録要求を会員管理コンピュータ１２０に送信する。
【００９７】
この登録要求の受信に基づいて会員管理コンピュータ１２０（ＣＰＵ１２２）は、受信した登録要求に含まれる会員ＩＤに対応付けて、登録要求に含まれるサイトアドレス情報をサイトアドレステーブルに記憶（登録）するとともに、そのアクセス回数に受信したアクセス回数である「１」を記憶してサイトアドレステーブルを更新する。前述のように、カードユニット３から会員カード受付通知を受信したときに、該サイトアドレステーブルに受信した会員カード受付通知に含まれる会員ＩＤに対応して記憶されているサイトアドレス情報とアクセス回数とを含むブックマーク情報が、該会員ＩＤが記録された会員カードを受付け中のカードユニット３に送信されるととで、会員遊技者は、一々、ブックマークデータを携帯電話Ｋからカードユニット３へ転送することなく、パチンコ機２を移動しても、後日再来場しても携帯電話Ｋにブックマークとして記憶しているサイトアドレス情報のウエブサイトに簡便にアクセスすることができる。
【００９８】
そして会員管理コンピュータ１２０（ＣＰＵ１２２）は、該登録要求の受信に基づいてサイトアドレステーブルを更新した後、図１６に示すように、受信した登録要求に、当該会員管理コンピュータ１２０が設置された遊技場を識別可能とするために固有に付与された遊技場ＩＤを付加して管理サーバ１４０に対して送信する。
【００９９】
そして、該登録要求の受信に基づいて管理サーバ１４０（ＣＰＵ１４２）は、受信した登録要求に付加された遊技場ＩＤと、該登録要求に含まれる会員ＩＤに対応付けて遊技場別会員情報データベースに記憶されている氏名と電子メールアドレスとを特定するとともに、該特定した氏名と電子メールアドレスに対応付けて受信した登録要求に含まれるサイトアドレス情報に基づいて会員別サイトアドレステーブルに記憶するとともに、そのアクセス回数に受信した登録要求に含まれるアクセス回数である「１」を記憶して会員別サイトアドレステーブルを更新する。
【０１００】
次いで、管理サーバ１４０（ＣＰＵ１４２）は、前記にて特定した氏名と電子メールアドレスに対応付けて会員ＩＤテーブルに記憶されている会員ＩＤを全て特定し、該特定した会員ＩＤの内、受信した登録要求に含まれる会員ＩＤ以外の会員ＩＤ、つまり、会員遊技者が会員登録しているその他の遊技場における会員ＩＤを含む登録要求を、該会員ＩＤに対応する遊技場（会員ＩＤテーブルから特定可能）に設置されている会員管理コンピュータ１２０に対して、システムコントローラ１００を介して送信する。
【０１０１】
この管理サーバ１４０からの登録要求の受信に基づいて会員管理コンピュータ１２０（ＣＰＵ１２２）は、受信した登録要求に含まれる会員ＩＤに対応付けて、登録要求に含まれるサイトアドレス情報をサイトアドレステーブルに記憶（登録）するとともに、そのアクセス回数に受信した登録要求に含まれるアクセス回数である「１」を記憶してサイトアドレステーブルを更新する。前述のように、該会員遊技者が当該遊技場の会員カードをカードユニット３に挿入することで、会員管理コンピュータ１２０（ＣＰＵ１２２）がカードユニット３から会員カード受付通知を受信したときに、該サイトアドレステーブルに受信した会員カード受付通知に含まれる会員ＩＤに対応して記憶されているサイトアドレス情報とアクセス回数とを含むブックマーク情報が、該会員ＩＤが記録された会員カードを受付け中のカードユニット３に送信されることで、会員遊技者は、繰返しサイトアドレスをカードユニット３に入力することなく、他の遊技場のカードユニット３にて新たに登録したサイトアドレス情報のウエブサイトに簡便にアクセスすることができる。
【０１０２】
また、本実施例では、カードユニット３にて削除されたサイトアドレス情報が、当該遊技場の会員管理コンピュータ１２０のサイトアドレステーブルからも削除されるとともに、当該会員遊技者が会員登録しているその他の遊技場に設置されている会員管理コンピュータ１２０のサイトアドレステーブルから削除されるようになっており、その流れについて説明すると、カードユニット３の制御ユニット３２８は、図１５に示すように、ブラウザ画面に設けられている前記ブックマーク関連選択入力部の「消去」の選択入力部が選択されると、該ブックマーク登録操作に基づいて、その時点にて制御ユニット３２８に実装されている図示しないＲＡＭにブックマークデータとして記憶されているサイトアドレス情報を選択可能に一覧表示する。この一覧表示のサブウインドウには、図１５に示すように、全てを一括消去するための「全消去」の選択入力部と、選択することでチェックがなされたサイトアドレス情報を消去するための「消去する」の選択入力部と、消去を中止するための「キャンセル」の選択入力部とが設けられていて、会員遊技者は、記憶されている全てのサイトアドレス情報を消去する場合には、「全消去」の選択入力部を選択入力し、消去したいサイトアドレス情報を個々に選択して消去する場合には、消去したいサイトアドレス情報を指触にて選択してチェック表示をさせた後、「消去する」の選択入力部を選択入力する。
【０１０３】
この「全消去」或いは「消去する」の選択入力部を選択入力、例えば、図１５に示すように、４つの消去するサイトアドレス情報を選択した後に「消去する」の選択入力部を選択入力した場合には、該「消去する」の選択入力部の選択入力に基づいて、カードユニット３の制御ユニット３２８は、選択された消去対象とするサイトアドレス情報を特定するとともに、制御ユニット３２８に実装されている図示しないＲＡＭにブックマークデータとして記憶されているサイトアドレス情報の内、該特定した消去対象とするサイトアドレス情報の記憶を消去してブックマークデータを更新するとともに、削除対象としたサイトアドレス情報と会員ＩＤとを含む削除要求を会員管理コンピュータ１２０に送信する。
【０１０４】
この削除要求の受信に基づいて会員管理コンピュータ１２０（ＣＰＵ１２２）は、受信した削除要求に含まれる会員ＩＤに対応付けて記憶されているサイトアドレス情報の内、削除要求に含まれる削除対象とされたサイトアドレス情報を消去して更新することで、前述のように、カードユニット３から会員カード受付通知を受信したときに、該カードユニット３に送信されるブックマーク情報には、会員遊技者により選択されることで削除対象とされたサイトアドレス情報が消去されることで含まれないようになり、会員遊技者は、パチンコ機２を移動しても、後日再来場しても、一々これらの削除操作を繰り返す必要がなく、会員遊技者の利便性を向上できる。
【０１０５】
そして会員管理コンピュータ１２０（ＣＰＵ１２２）は、該削除要求の受信に基づいてサイトアドレステーブルを更新した後、図１６に示すように、受信した削除要求に、当該会員管理コンピュータ１２０が設置された遊技場を識別可能とするために固有に付与された遊技場ＩＤを付加して管理サーバ１４０に対して送信する。
【０１０６】
そして、該削除要求の受信に基づいて管理サーバ１４０（ＣＰＵ１４２）は、受信した削除要求に付加された遊技場ＩＤと、該削除要求に含まれる会員ＩＤに対応付けて遊技場別会員情報データベースに記憶されている氏名と電子メールアドレスとを特定するとともに、該特定した氏名と電子メールアドレスに対応付けて会員別サイトアドレステーブルに記憶されているサイトアドレス情報の内、受信した削除要求に含まれるサイトアドレス情報を消去して会員別サイトアドレステーブルを更新する。
【０１０７】
次いで、管理サーバ１４０（ＣＰＵ１４２）は、前記にて特定した氏名と電子メールアドレスに対応付けて会員ＩＤテーブルに記憶されている会員ＩＤを全て特定し、該特定した会員ＩＤの内、受信した削除要求に含まれる会員ＩＤ以外の会員ＩＤ、つまり、会員遊技者が会員登録しているその他の遊技場における会員ＩＤを含む削除要求を、該会員ＩＤに対応する遊技場（会員ＩＤテーブルから特定可能）に設置されている会員管理コンピュータ１２０に対して、システムコントローラ１００を介して送信する。
【０１０８】
この管理サーバ１４０からの削除要求の受信に基づいて会員管理コンピュータ１２０（ＣＰＵ１２２）は、受信した削除要求に含まれる会員ＩＤに対応付けてサイトアドレステーブルに記憶しているサイトアドレス情報の内、削除要求に含まれるサイトアドレス情報を消去してサイトアドレステーブルを更新することで、前述のように、該会員遊技者が当該遊技場の会員カードをカードユニット３に挿入することで、会員管理コンピュータ１２０（ＣＰＵ１２２）がカードユニット３から会員カード受付通知を受信したときに、該カードユニット３に送信されるブックマーク情報には、他の遊技場のカードユニット３にて当該会員遊技者により選択されることで削除対象とされたサイトアドレス情報が消去されることで含まれないようになり、会員遊技者は、他の遊技場においても、一々これらの削除操作を繰り返す必要がなく、会員遊技者の利便性を向上できる。
【０１０９】
また、本実施例では、カードユニット３にて新たにブックマーク登録した新規サイトアドレス情報を、携帯電話Ｋに転送できるようになっており、その流れについて説明すると、カードユニット３の制御ユニット３２８は、図１４に示すように、ブラウザ画面に設けられている前記ブックマーク関連選択入力部の「転送」の選択入力部が選択されると、該ブックマーク転送操作に基づいて、その時点までに前述のブックマーク登録操作に基づいて新規登録サイトアドレス情報として記憶しているサイトアドレス情報を特定し、該特定した新規登録サイトアドレス情報を、会員遊技者が選択可能に一覧表示する。
【０１１０】
この新規登録サイトアドレス情報が一覧表示されたサブウインドウには、図１４に示すように、「転送する」の選択入力部と、転送を中止するための「キャンセル」の選択入力部とが設けられていて、会員遊技者は、一覧表示されている新規登録サイトアドレス情報の内、携帯電話に転送したい新規登録サイトアドレス情報を指触にて選択してチェック表示をさせた後、「転送する」の選択入力部を選択入力する。
【０１１１】
そして、該「転送する」の選択入力部の選択入力に基づいて、カードユニット３の制御ユニット３２８は、選択された転送対象とする新規登録サイトアドレス情報を特定するとともに、表示部３１２に、図１４に示す如く「転送する場合は、携帯電話・ＰＤＡの受光部を画面右上の送光部に合わせて下さい」のメッセージと、「ＯＫ」の選択入力部が設けられたサブウインドウを表示する。
【０１１２】
このサブウインドウの表示を受けて、会員遊技者は、自身が所持している携帯電話Ｋの赤外線ポートＩＲを前記赤外線通信窓３３１に対向させて配置した後、サブウインドウの前記「ＯＫ」の選択入力部を選択入力することで、制御ユニット３２８は、該「ＯＫ」の選択入力操作に基づいて、前記にて特定した転送対象の新規登録サイトアドレス情報を前記赤外線（ＩＲ）通信モジュール３３０に出力することで、該転送対象の新規登録サイトアドレス情報が該赤外線（ＩＲ）通信モジュール３３０から会員遊技者の携帯電話Ｋに送信されて記憶されることで、会員遊技者は、新たにカードユニット３にてブックマーク登録したサイトアドレス情報を、携帯電話Ｋにて再度入力する必要がなく、該サイトアドレス情報のウエブサイトに簡便にアクセスできるようになるので、会員遊技者の利便性を向上できる。
【０１１３】
そして、会員遊技者が遊技を終了して会員カードの返却操作を実施した場合には、カードユニット３の制御ユニット３２８は、該返却操作基づいてブックマークデータとして記憶されているサイトアドレス情報とアクセス回数と会員ＩＤを含むアクセス情報を、会員管理コンピュータ１２０に対して送信するとともに、図示しないＲＡＭに記憶している新規登録サイトアドレスやブックマークデータを消去して、受付け中の会員カードを返却する。
【０１１４】
このアクセス情報の受信に基づいて会員管理コンピュータ１２０（ＣＰＵ１２２）は、受信したアクセス情報に含まれる会員ＩＤに対応して記憶されている各サイトアドレス情報のアクセス回数を、受信したアクセス情報に含まれる各サイトアドレス情報のアクセス回数に更新するとともに、該受信したアクセス情報に遊技場ＩＤを付加して管理サーバ１４０に対してに送信する。
【０１１５】
このアクセス情報の受信に基づいて管理サーバ１４０（ＣＰＵ１４２）は、受信したアクセス情報に付加された遊技場ＩＤと、該アクセス情報に含まれる会員ＩＤに対応付けて遊技場別会員情報データベースに記憶されている氏名と電子メールアドレスとを特定し、該特定した氏名と電子メールアドレスに対応して会員別サイトアドレステーブルに記憶されている各サイトアドレス情報のアクセス回数を、受信したアクセス情報に含まれる各サイトアドレス情報のアクセス回数に更新する。
【０１１６】
そして、管理サーバ１４０（ＣＰＵ１４２）は、前記にて特定した氏名と電子メールアドレスに付けて会員ＩＤテーブルに記憶されている会員ＩＤを全て特定し、該特定した会員ＩＤの内、受信したアクセス情報に含まれる会員ＩＤ以外の会員ＩＤ、つまり、会員遊技者が会員登録しているその他の遊技場における会員ＩＤを含むアクセス情報を、該会員ＩＤに対応する遊技場（会員ＩＤテーブルから特定可能）に設置されている会員管理コンピュータ１２０に対して、システムコントローラ１００を介して送信する。
【０１１７】
この管理サーバ１４０からのアクセス情報の受信に基づいて会員管理コンピュータ１２０（ＣＰＵ１２２）は、受信したアクセス情報に含まれる会員ＩＤに対応付けてサイトアドレステーブルに記憶されている各サイトアドレス情報のアクセス回数を、受信したアクセス情報に含まれる各サイトアドレス情報のアクセス回数に更新することで、他の遊技場のカードユニット３においてアクセスしたアクセス回数が反映され、会員遊技者は、どの遊技場のカードユニット３においても、会員となっているいずれの遊技場のカードユニット３にてアクセスしたアクセス回数順に基づく順位にてサイトアドレス情報が一覧表示されるようになり、会員遊技者の利便性を向上できる。
【０１１８】
以上、本実施例によれば、会員遊技者が所持する携帯電話Ｋから前記サイトアドレス情報受信処理にて受信されたサイトアドレス情報が、会員管理コンピュータ１２０のサイトアドレス情報記憶手段となるサイトアドレステーブルに記憶され、会員遊技者が、自身が所持する会員カードを店舗端末となるカードユニット３に挿入することで、前記携帯電話Ｋから受信することで該サイトアドレステーブルに記憶されているサイトアドレス情報が、会員管理コンピュータ１２０から該会員カードを受付けたカードユニット３に対して送信されるようになるため、会員が後日再来場した場合においても、携帯電話Ｋからブックマーク等のサイトアドレスの情報をカードユニット３に対して繰返し転送することなく、一度転送したブックマーク等のサイトアドレス情報のサイトを簡便に閲覧することができる。
【０１１９】
また、本実施例によれば、会員遊技者が所持する携帯電話Ｋから前述のサイトアドレス情報受信処理にて受信されたサイトアドレス情報が、当該会員遊技者が会員登録しているその他の遊技場に設置されている会員管理コンピュータ１２０に送信されて、送信先の遊技場おける当該会員遊技者の会員ＩＤに対応付けてサイトアドレステーブルに記憶されるようになるため、会員遊技者が、送信先の遊技場のカードユニット３に、自身が所持する当該遊技場の会員カードを挿入することで、該サイトアドレステーブルに記憶されている他の遊技場において携帯電話Ｋから転送したサイトアドレス情報が、会員管理コンピュータ１２０から該会員カードを受付けたカードユニット３に対して送信されるようになるため、会員となっている他の遊技場において、携帯電話Ｋからブックマーク等のサイトアドレスの情報をカードユニット３に対して繰返し転送することなく、該ブックマーク等のサイトアドレスのサイトを簡便に閲覧することができる。
【０１２０】
また、本実施例によれば、サイトアドレステーブルに複数のサイトアドレス情報が記憶されていても、サイトアドレス情報が要求回数の多い順、つまりは、閲覧頻度が高い順に表示されるので、利用者が閲覧するサイトを選択する上での利便性を向上できる。
【０１２１】
また、本実施例によれば、会員遊技者は、カードユニット３にてコンテンツデータの配信を要求したサイトのサイトアドレス情報を自身が所持する携帯電話Ｋに転送できるようになり、該コンテンツデータの配信を要求したサイトアドレス情報を携帯電話Ｋにて再度入力する手間を省くことができるようになるため、会員遊技者の利便性を向上できる。
【０１２２】
また、本実施例によれば、会員遊技者は、自身が所持する携帯電話Ｋから転送したサイトアドレス情報の内、前記会員管理コンピュータ１２０のサイトアドレステーブルに記憶するサイトアドレス情報を選択できるので、閲覧の可能性が低いサイトのサイトアドレス情報がサイトアドレステーブルに記憶されることを排除して、不必要にサイトアドレステーブルに記憶されているサイトアドレス情報の数が多くなることを回避でき、よって、多数のサイトアドレス情報から目的のサイトアドレス情報を探す煩雑さを軽減することができる。
【０１２３】
また、本実施例によれば、会員である会員遊技者が、遊技場内の遊技機であるパチンコ機２を移動した場合においても、移動先のパチンコ機２に対応して設けられているカードユニット３に、会員カードを挿入することで、前記サイトアドレステーブルに記憶されているサイトアドレス情報が、会員管理コンピュータ１２０から該会員カードを受付けたカードユニット３に対して送信されるようになるため、携帯端末からブックマーク等のサイトアドレスの情報をカードユニット３に対して繰返し転送することなく、一度転送したブックマーク等のサイトアドレスのサイトを簡便に閲覧することができる。
【０１２４】
以上、本発明の実施例を図面により説明してきたが、具体的な構成はこれら実施例に限られるものではなく、本発明の要旨を逸脱しない範囲における変更や追加があっても本発明に含まれる。
【０１２５】
例えば、上記実施例では、店舗として遊技場を例に説明したが、前述のように、本発明はこれに限定されるものではなく、遊技場以外の店舗においても本発明を適用できる。
【０１２６】
また、前記実施例では、会員遊技者が所持する携帯端末として携帯電話Ｋを例示したが、本発明はこれに限定されるものではなく、これら携帯端末を携帯電話Ｋ以外の携帯端末、例えばＰＤＡ等であっても良い。
【０１２７】
また、前記実施例では、ブックマーク操作に基づいて、ブックマークデータとして記憶されているサイトアドレス情報を一覧表示する際に、制御ユニット３２８が各サイトアドレス情報のアクセス回数に基づく順位にてサイトアドレス情報を表示するようにしており、これらの順位付けを制御ユニット３２８が実施するようにしているが、本発明はこれに限定されるものではなく、これらの順位付けを会員管理コンピュータ１２０にて実施して、該順位付けされたサイトアドレス情報を含むブックマーク情報を制御ユニット３２８に対して送信するようにしても良い。
【０１２８】
また、前記実施例では、携帯電話Ｋとカードユニット３との通信を赤外線通信としているが、本発明はこれに限定されるものではなく、これらの通信方式をその他の方式、例えば微弱電波による無線通信や、有線による通信方式としても良い。
【０１２９】
また、前記実施例では、携帯電話Ｋへ転送するサイトアドレス情報を、カードユニット３にて新たに新規登録した新規登録サイトアドレス情報としているが、本発明はこれに限定されるものではなく、例えば、これら新規登録サイトアドレス情報に代えて、カードユニット３にてアクセスした全てのサイトアドレス情報の履歴を記憶しておき、その履歴を一覧表示して必要なものを選択して携帯電話に転送するようにしても良いし、或いは、新規ではないブックマークデータとして記憶されている全てのサイトアドレス情報を選択可能に表示して、必要なものを選択して携帯電話に転送するようにしても良い。
【０１３０】
また、前記実施例では、携帯電話Ｋから転送されたサイトアドレス情報の内、会員管理コンピュータ１２０に記憶（登録）するサイトアドレス情報の選択受付けを実施するようにしているが、本発明はこれに限定されるものではなく、これらの受付けを実施することなく、転送された全てのサイトアドレス情報を、会員管理コンピュータ１２０に記憶（登録）するようにしても良い。
【０１３１】
また、前記実施例では、アクセス回数の情報となるアクセス情報を、会員カードの返却に基づいて制御ユニット３２８から会員管理コンピュータ１２０に送信するようにしているが、本発明はこれに限定されるものではなく、例えば、各カードユニット３がインターネット網と会員管理コンピュータ１２０を介して接続されている場合等においては、該会員管理コンピュータ１２０にてウエブサイトを提供するサーバコンピュータへのアクセスをカウントして、アクセス回数を会員管理コンピュータ１２０にて自動更新するようにしても良い。
【０１３２】
また、前記実施例では、アクセス回数は、１回のコンテンツデータの要求に基づいてウエブサイトを提供するサーバコンピュータからのコンテンツデータに基づくウエブサイトの画面表示により、アクセス回数に１を加算するようにしているが、本発明はこれに限定されるものではなく、これらアクセス回数は、同一の会員カードを受付けている間は同一のウエブサイトへのアクセスは何回アクセスしても１回としてカウントするようにしても良い。
【０１３３】
また、前記実施例では、遊技用装置をカードユニット３とした形態を例示したが、本発明はこれに限定されるものではなく、これら遊技用装置としては、遊技機に対応してウエブサイトの画面を表示することのできるものであれば良く、例えば台データ等の情報を表示するために遊技機であるパチンコ機２の上部に設けられた情報表示装置等であっても良いし、更には、これら情報表示装置が呼出ランプ等と一体化されたものであっても良い。
【０１３４】
また、前記実施例では、遊技用装置として挿入された会員カードやビジターカードの度数、並びに会員カードの貯玉を使用してカードリーダ式パチンコ機２にパチンコ玉の払出（払戻）を実施させるカードユニット３を用いているが、本発明はこれに限定されるものではなく、これら遊技用装置としては、前記度数による払出と、貯蓄玉数の払出とを個別のユニットとした構成としても良い。また、この際、これら遊技媒体であるパチンコ玉の払出（払戻）を、パチンコ機２からではなく、ユニット側にて実施するようにしたものとしても良い。
【０１３５】
また、前記実施例のカードユニット３では、貨幣を受付けて会員カードに追加入金が可能とされているが、本発明はこれに限定されるものではなく、これらの追加入金の機能を有しないものであっても良い。
【０１３６】
また、前記実施例では、記録媒体（会員カード、ビジターカード）として非接触型のＩＣカードを用いているが、本発明はこれに限定されるものではなく、これを磁気カードや接触型のＩＣカードとしても良いし、バーコード等の所定の情報記録シンボル等が読み取り可能にプリントされたものや、携帯電話Ｋを記録媒体としても良い。
【０１３７】
また、前記実施例では、管理サーバ１４０からの登録情報や削除情報並びにアクセス情報を、登録要求や削除要求やアクセス情報を送信してきた会員管理コンピュータ１２０以外の遊技場に設置されている会員管理コンピュータ１２０に対して送信するようにしているが、本発明はこれに限定されるものではなく、これらの登録情報や削除情報並びにアクセス情報を、登録要求や削除要求やアクセス情報を送信してきた会員管理コンピュータ１２０を含む全ての会員管理コンピュータ１２０に送信するようにしても良い。
【０１３８】
また、前記実施例では、前記管理サーバ１４０における登録情報や削除情報並びにアクセス情報の送信の契機となる、会員管理コンピュータ１２０が送信する登録要求や削除要求やアクセス情報の送信に際して、会員管理コンピュータ１２０は、前記サイトアドレステーブルを更新した後に、登録要求や削除要求やアクセス情報を送信するようにしているが、本発明はこれに限定されるものではなく、これらサイトアドレステーブルを更新することなく、登録要求や削除要求やアクセス情報を管理サーバ１４０に送信し、該送信に基づいて管理サーバ１４０から送信されている登録情報や削除情報並びにアクセス情報に基づいてサイトアドレステーブルを更新するようにしても良い。
【０１３９】
また、前記実施例では、カードユニット３からの登録要求や削除要求の送信を、ブックマーク登録の操作や、ブックマーク削除の操作があった時点において、迅速に実施するようにしているが、本発明はこれに限定されるものではなく、これらの各要求の送信を、アクセス情報とともに、会員カードの返却時においてまとめて実施するようにしても良い。
【０１４０】
また、前記実施例では、説明の都合上、図１６において、サイトの閲覧→ブックマーク登録→ブックマーク削除の順に実施するように記載しているが、本発明はこれに限定されるものではなく、これらのサイトの閲覧、ブックマーク登録、ブックマーク削除の実施順序は、任意の順序にて実施可能である。
【０１４１】
また、前記実施例では、登録（削除）要求の送信において、登録や削除するサイトアドレス以外に、カードユニット３のＲＡＭに記憶している全てのサイトアドレスと、該サイトアドレス毎のアクセス回数を送信することで、会員管理コンピュータ１２０や管理サーバ１４０において、これらサイトアドレスやサイトアドレス毎のアクセス回数の更新を実施するようにしても良い。
【０１４２】
前記実施例における各要素は、本発明に対して以下のように対応している。
本発明の請求項１は、店舗（遊技場）において会員登録した会員に発行され、当該会員を個々に識別可能な会員識別情報（会員ＩＤ）が記録された会員用記録媒体（会員カード）を受付け、該受付けた会員用記録媒体に記録されている前記会員識別情報を読み出す読み出し手段（カードリーダライタ３２７）と、会員が所持する携帯端末（携帯電話Ｋ）に記憶されているインターネット網上のサーバコンピュータにより提供されるウエブサイトのサイトアドレス情報を少なくとも受信するためのサイトアドレス情報受信手段（制御ユニット３２８；サイトアドレス情報受信処理）と、前記ウエブサイトを提供するサーバコンピュータから配信されるコンテンツデータを受信し、該受信したコンテンツデータに基づき、前記ウエブサイトの画面を生成して表示するウエブサイト表示処理（サイトアドレス情報表示処理）を実施するための表示手段（制御ユニット３２８；サイトアドレス情報表示処理）と、前記サイトアドレス情報受信手段にて受信したサイトアドレス情報と、前記読み出し手段にて読み出した会員識別情報とを含むサイトアドレス登録要求（登録要求）を送信する登録要求送信手段（制御ユニット３２８；登録要求配信処理）と、を備える店舗端末（カードユニット３）と、該店舗端末とデータ通信可能に接続され、前記登録要求送信手段から送信されるサイトアドレス登録要求に含まれる会員識別情報とサイトアドレス情報とを対応付けて記憶するためのサイトアドレス情報記憶手段（ＣＰＵ１２２；サイトアドレス情報記憶処理、サイトアドレステーブル）を備える会員管理装置（会員管理コンピュータ１２０）と、から成るウエブサイト閲覧システムであって、前記店舗端末は、前記読み出し手段にて読み出した会員識別情報と、該会員識別情報に対応するサイトアドレス情報の送信を要求する旨とを含むサイトアドレス情報送信要求（会員カード受付け通知）を前記会員管理装置に送信する送信要求送信手段（制御ユニット３２８；会員カード受付け通知送信処理）を備え、前記会員管理装置は、該送信要求送信手段から送信されるサイトアドレス情報送信要求に含まれる会員識別情報に対応付けて前記サイトアドレス情報記憶手段に記憶されているサイトアドレス情報を特定し、該特定したサイトアドレス情報を受信したサイトアドレス情報送信要求の送信元の店舗端末に返信するサイトアドレス情報送信手段（ＣＰＵ１２２；ブックマーク情報送信処理）を備え、前記店舗端末は、該サイトアドレス情報送信手段から送信されるサイトアドレス情報のウエブサイトに対応するコンテンツデータの配信を、当該ウエブサイトを提供するサーバコンピュータに要求するためのコンテンツデータ要求手段（制御ユニット３２８；コンテンツデータ要求処理）と、前記表示手段は、該コンテンツデータ要求手段による要求に応じて前記サーバコンピュータから配信されてきたコンテンツデータに基づき、前記ウエブサイト表示処理を実施する。
【０１４３】
本発明の請求項２は、各店舗に設置された前記会員管理装置（会員管理コンピュータ１２０）に接続され、各店舗（遊技場）において会員登録した会員に関する情報を集中管理するとともに、各会員が会員登録している店舗を特定するための会員登録店舗特定手段（会員ＩＤテーブル）を備える集中管理装置（管理サーバ１４０）を有し、前記会員管理装置は、前記サイトアドレス登録要求（登録要求）の受信に基づいて、該サイトアドレス登録要求（登録要求）を前記集中管理装置に送信し、前記集中管理装置は、前記会員管理装置から送信されてきたサイトアドレス登録要求に含まれる会員識別情報（会員ＩＤ）から特定される会員が会員となっている店舗（遊技場）と、当該店舗における会員識別情報（会員ＩＤ）を特定する会員識別情報特定手段（ＣＰＵ１４２；会員ＩＤ特定処理）と、該会員識別情報特定手段にて特定した店舗の会員管理装置に対して、該会員識別情報特定手段にて特定した該店舗における会員識別情報と、受信した前記サイトアドレス登録要求に含まれるサイトアドレス情報とを含むサイトアドレス登録要求（登録要求）を配信するサイトアドレス登録要求配信手段（ＣＰＵ１４２；登録要求配信処理）と、を備え、前記会員管理装置は、該サイトアドレス登録要求配信手段から配信されるサイトアドレス登録要求の受信に基づいて、前記サイトアドレス情報記憶手段（サイトアドレステーブル）に、該サイトアドレス登録要求に含まれる会員識別情報とサイトアドレス情報とを対応付けて記憶する。
【０１４４】
本発明の請求項３は、前記会員管理装置（会員管理コンピュータ１２０）は、前記サイトアドレス情報記憶手段（サイトアドレステーブル）に各会員識別情報（会員ＩＤ）に対応付けて記憶されている複数のサイトアドレス情報に関して、各サイトアドレス情報毎に前記コンテンツデータ要求手段（制御ユニット３２８；コンテンツデータ要求処理）よりコンテンツデータの配信を要求した要求回数（アクセス回数）を記憶するための要求回数記憶手段（サイトアドレステーブル）を備え、前記店舗端末（カードユニット３）は、前記サイトアドレス情報記憶手段に各会員識別情報に対応付けて記憶されている複数のサイトアドレス情報を、前記要求回数記憶手段において記憶されている要求回数の多い順に表示するサイトアドレス情報表示手段（制御ユニット３２８；サイトアドレス情報表示処理）を備える。
【０１４５】
本発明の請求項４は、前記店舗端末は、前記コンテンツデータ要求手段（制御ユニット３２８；コンテンツデータ要求処理）よりコンテンツデータの配信を要求したウエブサイトのサイトアドレス情報を記憶するアクセスアドレス記憶手段（制御ユニット３２８；新規登録サイトアドレス情報記憶処理）と、該アクセスアドレス記憶手段に記憶されているサイトアドレス情報を、会員が所持する携帯端末（携帯電話Ｋ）に送信するためのアクセスアドレス送信手段（制御ユニット３２８；新規登録サイトアドレス情報送信処理）と、を備える。
【０１４６】
本発明の請求項５は、前記店舗端末（カードユニット３）は、前記サイトアドレス情報受信手段（制御ユニット３２８；サイトアドレス情報受信処理）にて受信した各サイトアドレス情報の内、前記会員管理装置（会員管理コンピュータ１２０）に登録するサイトアドレス情報の選択を会員より受付けるための登録選択受付け手段（制御ユニット３２８；登録アドレス選択受付け処理）を備え、前記登録要求送信手段（制御ユニット３２８；登録要求送信処理）は、該登録選択受付け手段にて会員より選択されたサイトアドレス情報を含む前記サイトアドレス登録要求（登録要求）を送信する。
【０１４７】
本発明の請求項６は、前記店舗が遊技場であるとともに、前記店舗端末が前記遊技場内に設置された遊技機（パチンコ機２）に対応して設置される遊技用装置（カードユニット３）である。
【図面の簡単な説明】
【０１４８】
【図１】本発明の実施例におけるウエブサイト閲覧システムの構成を示す図である。
【図２】本発明の実施例において用いたパチンコ機並びにカードユニットの正面図である。
【図３】本発明の実施例におけるカードユニットの突出部を示す図である。
【図４】本発明の実施例におけるカードユニットの構成を示すブロック図である。
【図５】本発明の実施例に用いた会員管理コンピュータの構成を示す図である。
【図６】（ａ）は、本発明の実施例に用いた会員情報テーブルを示す図であり、（ｂ）は、本発明の実施例に用いたサイトアドレステーブルを示す図である。
【図７】本発明の実施例に用いた管理サーバの構成を示す図である。
【図８】（ａ）は、本発明の実施例に用いた遊技場別会員情報データベースを示す図であり、（ｂ）は、本発明の実施例に用いた会員ＩＤテーブルを示す図である。
【図９】本発明の実施例に用いた会員別サイトアドレステーブルを示す図である。
【図１０】本発明の実施例に用いたカードユニットへの携帯電話からの転送状況を示す図である。
【図１１】本発明の実施例に用いたカードユニットにおける表示部の表示内容を示す図である。
【図１２】本発明の実施例に用いたカードユニットにおける表示部の表示内容を示す図である。
【図１３】本発明の実施例に用いたカードユニットにおける表示部の表示内容を示す図である。
【図１４】本発明の実施例に用いたカードユニットにおける表示部の表示内容を示す図である。
【図１５】本発明の実施例に用いたカードユニットにおける表示部の表示内容を示す図である。
【図１６】本発明の実施例におけるカードユニットと会員管理コンピュータと管理サーバとの間における処理状況を示す図である。
【符号の説明】
【０１４９】
２      パチンコ機
３      カードユニット
１００  システムコントローラ
１２０  会員管理コンピュータ
１２２  ＣＰＵ
１４０  管理サーバ
１４２  ＣＰＵ
３２７  カードリーダライタ
３２８  制御ユニット
３３０  赤外線（ＩＲ）通信モジュール
３３１  赤外線通信窓
【図１】
2005293468.tif 000003
【図２】
2005293468.tif 000004
【図３】
2005293468.tif 000005
【図４】
2005293468.tif 000006
【図５】
2005293468.tif 000007
【図６】
2005293468.tif 000008
【図７】
2005293468.tif 000009
【図８】
2005293468.tif 000010
【図９】
2005293468.tif 000011
【図１０】
2005293468.tif 000012
【図１１】
2005293468.tif 000013
【図１２】
2005293468.tif 000014
【図１３】
2005293468.tif 000015
【図１４】
2005293468.tif 000016
【図１５】
2005293468.tif 000017
【図１６】
2005293468.tif 000018